(57)【要約】【課題】  ユーザの利便性および嗜好性を考慮してコンテンツデータを保護することができる記録装置を提供する。【解決手段】  コンテンツデータを第１の記録媒体に書き込む書込み手段３２と、前記第１の記録媒体に書き込まれたコンテンツデータを再生するコンテンツ再生手段２４と、再生した再生回数をコンテンツデータごとに管理する再生回数管理手段３６と、前記再生回数が多い順に、前記第１の記録装置からコンテンツデータを選択する選択手段３３と、選択したコンテンツデータのうち、少なくとも１つのコンテンツデータを第２の記録媒体に出力すると共に、当該コンテンツデータを前記第１の記録媒体から削除する移動手段３１とを具備する。【選択図】      図１
2009232364.tif 000002
【特許請求の範囲】
【請求項１】
コンテンツデータを第１の記録媒体に書き込む書込み手段と、
前記書込み手段で前記第１の記録媒体に書き込まれたコンテンツデータを再生するコンテンツ再生手段と、
前記コンテンツ再生手段で再生した再生回数をコンテンツデータごとに管理する再生回数管理手段と、
前記再生回数管理手段で管理する前記再生回数が多い順に、前記第１の記録媒体からコンテンツデータを選択する選択手段と、
前記選択手段で選択したコンテンツデータのうち、少なくとも１つのコンテンツデータを第２の記録媒体に出力すると共に、当該コンテンツデータを前記第１の記録媒体から削除する移動手段と
を具備することを特徴とする記録装置。
【請求項２】
操作入力を受ける入力手段と、
前記選択手段で選択したコンテンツデータから移動候補リストを生成するリスト生成手段とを更に具備し、
前記移動手段は、前記リスト生成手段で生成された前記移動候補リストの中で、前記入力手段からの操作入力により指定されたコンテンツデータを前記第２の記録媒体に出力すると共に、当該コンテンツデータを前記第１の記録媒体から削除することを特徴とする請求項１記載の記録装置。
【請求項３】
前記リスト生成手段は、コンテンツデータの出力先の記録媒体から出力先候補リストを生成し、
前記移動手段は、前記リスト生成手段で生成された前記出力先候補リストの中で、前記入力手段からの操作入力により指定された前記出力先の記録媒体に、前記選択手段で選択したコンテンツデータ出力すると共に、当該コンテンツデータを前記第１の記録媒体から削除することを特徴とする請求項２記載の記録装置。
【請求項４】
前記第１の記録媒体に格納されたコンテンツデータの削除を抑制するコンテンツ保護手段を更に具備し、
前記選択手段は、前記コンテンツ保護手段で削除抑制がなされたコンテンツデータを選択することを特徴とする請求項３記載の記録装置。
【請求項５】
前記第１の記録媒体の容量を検知する検知手段を更に具備し、
前記移動手段は、前記検知手段で検知する前記第１の記録媒体の容量が所定値以下である場合、前記選択手段で選択したコンテンツデータから、少なくとも１つのコンテンツデータを第２の記録媒体に出力すると共に、当該コンテンツデータを前記第１の記録媒体から削除することを特徴とする請求項４記載の記録装置。
【請求項６】
放送番組の録画予約を設定する録画予約設定手段を更に具備し、
前記検知手段は、録画予約設定手段で録画予約を設定した前記放送番組を前記第１の記録媒体に格納した場合の容量を予測して検知し、
前記移動手段は、前記検知手段で予測して検知する前記第１の記録媒体の容量が所定値以下である場合、前記選択手段で選択したコンテンツデータから、少なくとも１つのコンテンツデータを第２の記録媒体に出力すると共に、当該コンテンツデータを前記第１の記録媒体から削除することを特徴とする請求項５記載の記録装置。
【発明の詳細な説明】
【技術分野】
【０００１】
本発明は、記録装置に関する。
【背景技術】
【０００２】
近年、デジタル方式の放送波を録画してＨＤＤ（Ｈａｒｄ  Ｄｉｓｋ  Ｄｒｉｖｅ）等の記録媒体にコンテンツデータを格納するデジタル記録方式の記録装置が広く普及している。これらの記録装置の中には新たなコンテンツデータを記録媒体に格納する際、記録容量の確保のために記録媒体に既に格納したコンテンツデータを一定条件の下で削除したり或いは他の記録媒体に移したりする機能を備える記録装置がある。
【０００３】
例えば特許文献１には、録画終了から所定時間が経過しても一度も再生されていない番組を「ダビングおすすめ」などの機能によってユーザに通知し、当該番組を他の記録媒体にダビングさせることで、録画した番組が再生されることなく削除される不本意な処理を防止できる録画記録装置が開示されている。
【特許文献１】特開２００７−３０６５２１号公報
【発明の開示】
【発明が解決しようとする課題】
【０００４】
しかしながら、特許文献１に示す装置では、ユーザの嗜好性を考慮してコンテンツデータを保護する機能を有していない。
このため、特許文献１に示す装置では、例えばユーザが残しておきたいと考えるコンテンツデータが記録媒体から削除されてしまう可能性がある。一般的に記録装置には、特定のコンテンツデータが意図せず削除されないように、これらのコンテンツデータを保護する機能が広く普及しているが、これらの機能では、保護対象のコンテンツデータの増加に伴って記録媒体の容量が減少するため、逐次判断して移動対象のコンテンツデータを決定する必要があり、利便性に欠ける。
【０００５】
そこで、ユーザの利便性および嗜好性を考慮してコンテンツデータを保護することができる記録装置を提供することを目的とする。
【課題を解決するための手段】
【０００６】
本発明の記録装置は、コンテンツデータを第１の記録媒体に書き込む書込み手段と、前記書込み手段で前記第１の記録媒体に書き込まれたコンテンツデータを再生するコンテンツ再生手段と、前記コンテンツ再生手段で再生した再生回数をコンテンツデータごとに管理する再生回数管理手段と、前記再生回数管理手段で管理する前記再生回数が多い順に、前記第１の記録装置からコンテンツデータを選択する選択手段と、前記選択手段で選択したコンテンツデータのうち、少なくとも１つのコンテンツデータを第２の記録媒体に出力すると共に、当該コンテンツデータを前記第１の記録媒体から削除する移動手段とを具備することを特徴とする。
【発明の効果】
【０００７】
本発明によれば、ユーザの利便性および嗜好性を考慮してコンテンツデータを保護することができる記録装置を提供することができる。
【発明を実施するための最良の形態】
【０００８】
以下、本発明の通信装置について、図面を参照しながら説明する。
まず、図１を参照して、本発明の一実施形態に係る記録装置の構成を説明する。本実施形態の記録装置は、例えば、放送局１からの地上波デジタル放送を受信すると共に、ネットワークを介して他の記録装置２００、３００やレコーダ４００等との接続が可能なデジタルテレビ受信機１００から実現されている。
【０００９】
このデジタルテレビ受信機１００は、例えば放送局１からの放送番組を録画し、生成したコンテンツデータを内蔵のＨＤＤ３２に格納する機能を備える。また、デジタルテレビ受信機１００は、録画したコンテンツデータの増加に伴ってＨＤＤ３２内の容量が減少した場合、ＨＤＤ３２の中から、過去に繰り返して再生されたコンテンツデータまたは保護設定がなされたコンテンツデータを選出すると共に、当該選出されたコンテンツデータから移動候補リストを生成して表示画面に提示する機能、及び移動候補リストの中で指定されたコンテンツデータを他の記録媒体にムーブする機能を有する。
【００１０】
このような機能を備えることで、本実施例のデジタルテレビ受信機１００では、ユーザがＨＤＤ３２の容量を調べ、逐次判断して移動対象のコンテンツデータを決定する必要がなく、ユーザの利便性および嗜好性を考慮してコンテンツデータを保護することが実現できる。
【００１１】
次に、図２を参照し、本実施例のデジタルテレビ受信機１００のシステム構成について説明する。図２は、本発明における実施例としてのデジタルテレビ受信機１００の内部構成を示したブロック図である。
【００１２】
デジタルテレビ受信機１００は、地上波デジタル放送に対応し、アンテナ１３、チューナ部１１、デマルチプレクサ２１、音声デコーダ２２、スピーカ２３、映像デコーダ２４、ＬＣＤ（Ｌｉｑｕｉｄ  Ｃｒｙｓｔａｌ  Ｄｉｓｐｌａｙ）２５、制御部３１、ＨＤＤ３２、ＧＵＩ（Ｇｒａｐｈｉｃａｌ  Ｕｓｅｒ  Ｉｎｔｅｒｆａｃｅ）制御部３３、入力部３４、ネットワーク通信部３５、データベース３６、および録画実行部３７等を備える。
【００１３】
チューナ部１１は、アンテナ１３に接続され、放送局から送信されるデジタル放送番組を選局・受信する。例えば、地上波デジタル放送による放送信号は、アンテナ１３によって受信され、内蔵のコンバータ（図示していない）によって所定の高周波信号に変換されてチューナ部１１に供給される。
【００１４】
チューナ部１１は、制御部３１からのコマンドに基づき、キャリア（受信周波数）の受信・選局を行う。また、チューナ部１１では、制御信号で指定されたキャリアに対して復調処理や誤り訂正処理等を施すことで、トランスポートストリーム（ＴＳ：Ｔｒａｎｓｐｏｒｔ  Ｓｔｒｅａｍ）を得る。
【００１５】
ここで、デジタル放送の規格によるトランスポートストリームは、例えばＭＰＥＧ２（Ｍｏｖｉｎｇ  Ｐｉｃｔｕｒｅ  Ｅｘｐｅｒｔｓ  Ｇｒｏｕｐ  Ｌａｙｅｒ２）方式等によって、複数の放送プログラムのビデオ信号及びオーディオ信号を圧縮した圧縮データが多重化されている。
【００１６】
デマルチプレックス部２１は、トランスポートストリームから特定のＴＳパケットを分離する。これによりデマルチプレックス部２１では、特定の放送番組についてのビデオデータ、オーディオデータを取得する。
【００１７】
音声デコーダ２２は、デマルチプレックス部２１で分離・取得された特定の放送番組についてのオーディオデータのデコード処理を行い、スピーカ２３に音声を出力させる。
【００１８】
映像デコーダ２４は、デマルチプレックス部２１で分離・取得された特定の放送番組についてのビデオデータのデコード処理を行い、ＬＣＤ２４に映像を出力させる。
【００１９】
制御部３１は、デジタルテレビ受信機１００の機能を制御する。制御部３１は、入力部３４からの操作入力コマンドを受けて、各種処理部へ指示を送る。また、制御部３１は、例えば録画予約処理やコンテンツデータの他の記録媒体へのムーブ処理等に応じたアプリケーション画面をＧＵＩ制御部３３に生成させる。
【００２０】
ＧＵＩ制御部３３は、制御部３１のコマンドの下、録画予約設定画面や移動候補リスト表示画面等を生成してＬＣＤ２５に表示する。また、ＧＵＩ制御部３３は、データベース３６を備え、ＨＤＤ３２から取得したコンテンツデータに関する情報を管理する。この管理方法については図３を参照しながら後述する。
【００２１】
入力部３４は、ユーザからの操作入力を受けるための操作キー（図示していない）や、リモートコントローラ４０から送信されたコマンドを受信する赤外線受信部等などを備え、入力されたコマンドを制御部３１に出力する。
【００２２】
ネットワーク通信部３５は、ＬＡＮ（Ｌｏｃａｌ  Ａｒｅａ  Ｎｅｔｗｏｒｋ）やＨＤＭI（Ｈｉｇｈ−Ｄｅｆｉｎｉｔｉｏｎ  Ｍｕｌｔｉｍｅｄｉａ  Ｉｎｔｅｒｆａｃｅ）等で他の記録装置２００、３００やレコーダ４００等と通信を行う。
【００２３】
次に、図３を参照して、本実施例におけるデータベース３６に格納されるコンテンツデータに関する情報の管理形式について説明する。図３は、本実施例のデータベース３３に格納されたコンテンツデータに関する情報を管理するテーブルである。
【００２４】
本実施例のＧＵＩ制御部３３では、例えばＨＤＤ３２からコンテンツデータに関する情報を取得し、これらの情報をデータベース３３内にテーブル形式で管理・格納する。尚、本実施例のデータベース３３で管理する情報として、例えばコンテンツ名、録画日時、チャンネル、視聴回数、保護設定の有無、ムーブ優先順位等が挙げられる。
【００２５】
コンテンツ名はコンテンツデータのタイトルを示す。コンテンツデータ名には、例えば「野球中継」や「ＮＨＫニュース」等の番組表で示される放送番組のタイトルやユーザが入力したタイトルが書き込まれる。
【００２６】
録画日時は放送波を録画してコンテンツデータを生成した日時を示す。本実施例では、例えば「２００７年１月７日  １９時〜２１時」等のコンテンツデータを生成した年や時間帯等の情報も合わせて示している。
【００２７】
視聴回数は、ＨＤＤ３２に格納するコンテンツデータが再生された回数を示す値である。例えばユーザによってＨＤＤ３２の特定のコンテンツデータが選ばれて再生された場合、当該コンテンツデータの視聴回数が加算される。例えば図３では、野球中継が過去に９回再生され、ＮＨＫニュースが８回、映画が５回、バレー中継が３回、そして大河ドラマが録画されてから一度も再生されていない場合の例を示す。
【００２８】
保護設定は、ＨＤＤ３２に格納するコンテンツデータの不用意な削除を抑制する設定である。例えば保護設定がなされたコンテンツデータは、他のコンテンツデータの上書き等で削除されることがなく、保護設定が解除されるまでＨＤＤ３２内に保存される。例えば図３では、野球中継、ＮＨＫニュース、及びバレー中継に其々保護設定がなされている場合の例を示す。
【００２９】
ムーブ優先順位は、ＨＤＤ３２の容量を確保するために他の記録媒体へ移動させるコンテンツデータを決定する際に参照する値である。例えば本実施例では優先順位が高いコンテンツデータから順に移動候補を選択する。
【００３０】
本実施例では、例えば、視聴回数または保護設定がなされているか否か等の情報に基づきムーブ優先順位を決定する。図３では、野球中継のコンテンツデータについて保護設定がなされており、且つ過去に視聴された回数が最も多いため、当該コンテンツデータの優先順位が１番に設定されている。尚、図３のテーブルの例では、ムーブ優先順位が高いコンテンツデータから順に上から表示しているものとする。
【００３１】
尚、本実施例では、例えば視聴回数または保護設定がなされているか否か等の情報に基づきムーブ優先順位を決定するが、これに限らず、視聴回数または保護設定に基づいて優先順位を決定する手段であれば、録画日時や複製を生成しているか否か等の情報も考慮しても良い。また、本実施例では、ユーザが各コンテンツデータに其々設定された優先順位を変更できるものとする。
【００３２】
次に図４乃至図８を参照して、本実施例における録画予約からコンテンツデータのムーブ処理実行までの各種処理に伴い生成・表示される表示画面および処理の手順について説明する。図４は、録画予約を設定する際に生成される表示画面の一例を示した図である。図５は、録画予約設定時に容量不足が検知された場合に生成される表示画面の一例を示した図である。図６は、表示画面に表示される移動候補リストの一例を示した図である。図７は、表示画面に表示される出力先候補リストの一例を示した図である。図８は、本実施例における録画予約からムーブ処理実行・録画予約設定までの処理の流れを示すフローチャートである。
【００３３】
本実施例では、例えば放送番組の録画予約を設定して新たなコンテンツデータをＨＤＤ３２に格納する場合等の状況で増加するＨＤＤ３２の容量を予測する。ここで、新たなコンテンツデータ格納するための容量が不足すると予測した場合、本実施例ではＨＤＤ３２に既に格納しているコンテンツデータから、図３で説明した示したムーブ優先順位に従って移動候補を選出する処理を開始する。
【００３４】
ここでは、２時間のサッカー中継について録画予約設定を入力した場合を想定する（Ｓ１０１）。録画予約設定の入力がなされると、デジタルテレビ受信機１００では、図４に示す録画予約画面を表示すると共に（Ｓ１０２）、ＨＤＤ３２内の容量を確認する（Ｓ１０３）。ここで録画予約設定の入力がなされた放送番組を格納できる容量があれば（Ｓ１０３のＹｅｓ）、デジタルテレビ受信機１００は、録画予約を設定する。
【００３５】
しかし、例えばＨＤＤ３２に残された容量が不足し、新たなコンテンツデータを格納することができない場合（Ｓ１０３のＮｏ）。本実施例では、このコンテンツデータを記録するための処理を開始する。
【００３６】
尚本実施例では、ＨＤＤ３２に残された容量を、通常のビットレートでコンテンツデータを記録した場合に記録可能な時間として表す。例えば、図４の例では、通常のビットレートでコンテンツデータを記録した場合に記録可能な時間が残り３０分であるため、２時間のサッカー中継を格納することができない。
【００３７】
ここで、通常のビットレートとは、例えば１０ｂｐｓ〜５ｂｐｓ程度の画質劣化が目立たないコンテンツデータを生成できるビットレートを指す。また、ここではＨＤＤ３２の容量を時間で示すが、これに限らず、ユーザに容量が不足していることを表示できる手段であればよい。
【００３８】
本実施例では、例えばＨＤＤ３２の容量が不足した状態で録画予約設定アイコン４０１を選択指定した場合、図５に示すアラート画面を表示する（Ｓ１０４）。ここで、デジタルテレビ受信機１００は、容量不を通知すると共に、当該容量不足を解消するため特定のコンテンツデータを移動させるか否かの判断を求める（Ｓ１０５）。
【００３９】
仮に、移動候補リストを表示するアイコン５０１がカーソル５０１ａで選択された場合（Ｓ１０５のＹｅｓ）、ＬＣＤ２５に移動候補リストを表示する。また、移動候補リストを表示しないアイコン５０２がカーソル５０１ａで選択された場合（Ｓ１０５のＮｏ）、デジタルテレビ受信機１００は、録画予約を実行しないとみなして処理を中止する（Ｓ１１３）。
【００４０】
Ｓ１０５で移動候補リスト表示が選択された場合、デジタルテレビ受信機１００は、データベース３６を読み出し、ＨＤＤ３２に格納されたコンテンツデータの視聴回数及び保護設定から設定されたムーブ優先順位を参照する（Ｓ１０６）。
【００４１】
次に図６に示すように、デジタルテレビ受信機１００は、Ｓ１０６で読み出した情報を基に作成した移動候補リストを表示する（Ｓ１０７）。ここでは、例えば図３で説明したムーブ優先順位の高い３つのコンテンツデータを示す。デジタルテレビ受信機１００では、其々のコンテンツデータにタイトルアイコン６０１〜６０３を設け、カーソル６０１ａで指定選択させる（Ｓ１０８）。ここで、キャンセルアイコン６０４が選択された場合（Ｓ１０８のＮｏ）、デジタルテレビ受信機１００は、録画予約を実行しないとみなして処理を中止する（Ｓ１１３）。
【００４２】
ここで、移動させるコンテンツデータが選択された場合（Ｓ１０８のＹｅｓ）、次にデジタルテレビ受信機１００は、図７に示す出力先候補リストを表示する（Ｓ１０９）。当該リストでは、登録されている記録媒体を選択できるアイコンが設けられる。
【００４３】
例えばここでは、ＬＡＮ  ＨＤＤ２００を選択するアイコン７０１、ＬＡＮ  ＨＤＤ３００を選択するアイコン７０２、レコーダ４００を選択するアイコン７０３を設け、カーソル７０１ａで指定選択させる（Ｓ１１０）。ここで、キャンセルアイコン７０５が選択された場合（Ｓ１１０のＮｏ）、デジタルテレビ受信機１００は、録画予約を実行しないとみなして処理を中止する（Ｓ１１３）。本実施例では、記録媒体のみでなくレコーダ等の機器にもコンテンツデータを出力することができる。
【００４４】
尚、本実施例では、ネットワーク通信部３５を介して他の装置と接続しているため、録画して生成するコンテンツデータを他の装置に直接出力することができる。容量不足に伴うコンテンツデータのムーブは、ＨＤＤ３２から他の装置へ送るだけではなく、他の装置からＨＤＤ３２へ送っても良い。
【００４５】
デジタルテレビ受信機１００は、アイコン７０１〜７０４から１つのアイコンが選択された後に決定アイコン７０５が選択指定されると（Ｓ１１０のＹｅｓ）、Ｓ１０８で移動候補リストから選択したコンテンツデータのムーブ処理を実行する（Ｓ１１１）。これにより、ＨＤＤ３２の容量が確保されると、デジタルテレビ受信機１００は、録画予約を設定する（Ｓ１１２）。
【００４６】
尚、本実施例では、例えば放送番組の録画予約を設定する際にＨＤＤ３２の容量不足を予測し、ムーブ処理を実行するが、これに限らず、ＨＤＤ３２の容量が所定値以下であれば、図６に示す容量不足を通知するアラート画面を表示させても良い。
【００４７】
これにより、録画予約設定時以外でもＨＤＤ３２の容量を調整する処理ができ、例えば放送時間が差し迫った放送番組の録画予約を設定する場合等の状況で、コンテンツデータの移動処理に時間がとられて録画が失敗してしまうなどの事態を回避できる。
【００４８】
以上説明したように、本実施例によれば、ユーザの利便性および嗜好性を考慮してコンテンツデータを保護することができる記録装置を提供することを実現する。
また、本実施例では、過去の視聴回数やコンテンツデータの保護設定を参照することで、ユーザにとって価値が高いと考えられるコンテンツデータを選出することが出来る。また、本実施例では、新たなコンテンツデータを記録媒体に格納する際、コンテンツデータを他の記録媒体に移送させることができる。これにより本実施例では、記録媒体の容量を確保することができる。
【００４９】
また、本実施例では、過去の視聴回数やコンテンツデータの保護設定を参照して移動候補を選び、提示することが出来る。これにより、本実施例では、逐次判断して移動対象のコンテンツデータを決定する手間が省ける。
【００５０】
また、本実施例では、コンテンツデータの移動先の候補選び、リストを提示することが出来る。これにより、本実施例では、移動対象のコンテンツデータを好適な出力先に異動させることが出来る。
【００５１】
また、本実施例では、記録媒体の容量が所定値以下となった場合に容量不足を通知すると共に、移動候補リストを提示することが出来る。これにより、本実施例では、意図せず記録媒体内のコンテンツデータが上書きされることを回避できる。
【００５２】
また、本実施例では、録画予約を設定する際に、新たなコンテンツデータを格納することで増加する記録媒体の容量を予測し、当該容量が所定値以下となった場合に容量不足を通知すると共に、移動候補リストを提示することが出来る。これにより、本実施例では、録画予約を設定する際に意図せず記録媒体内のコンテンツデータが上書きされることを回避できる。
【００５３】
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００５４】
【図１】本発明の実施例に係るサーバ装置及びクライアント装置が使用される通信システムの構成を示す図。
【図２】本発明の実施例に係るサーバ装置及びクライアント装置間の処理を示す図。
【図３】本発明の実施例に係るサーバ装置に対応させることが可能なクラスを示す図。
【図４】本発明の実施例に係る録画予約を設定する際に生成される表示画面の一例を示した図である。
【図５】本発明の実施例に係る録画予約設定時に容量不足が検知された場合に生成される表示画面の一例を示した図である。
【図６】本発明の実施例に係る表示画面に表示される移動候補リストの一例を示した図である。
【図７】本発明の実施例に係る表示画面に表示される出力先候補リストの一例を示した図である。
【図８】本発明の実施例に係る録画予約からムーブ処理実行・録画予約設定までの処理の流れを示すフローチャートである。
【符号の説明】
【００５５】
１・・・放送局
１０・・・受信部
１１・・・チューナ部
１３・・・アンテナ
２０・・・出力処理部
２１・・・デマルチプレックス部
２２・・・音声デコーダ
２３・・・スピーカ
２４・・・映像デコーダ
２５・・・ＬＣＤ
３１・・・制御部
３２・・・ＨＤＤ
３３・・・ＧＵＩ制御部
３４・・・入力部
３５・・・ネットワーク通信部
３６・・・データベース
３７・・・録画実行部
１００・・・デジタルテレビ受信機
２００、３００・・・記録装置
４００・・・レコーダ
【図１】
2009232364.tif 000003
【図２】
2009232364.tif 000004
【図３】
2009232364.tif 000005
【図４】
2009232364.tif 000006
【図５】
2009232364.tif 000007
【図６】
2009232364.tif 000008
【図７】
2009232364.tif 000009
【図８】
2009232364.tif 000010